(57)【要約】  【課題】未来予測についてより広い範囲でもって人類の英知を結集できるようにする。  【解決手段】サーバ装置１によって、ウェブサイト上の掲示板に未来予測記事が掲載される。各掲載記事には、固有の識別符合とその参照記事の識別符合となる参照符合とが対応付けて記憶される。端末装置２から特定の未来予測記事に関連する関連記事が指定されたときに、識別符合と参照符合とに基づいて関連記事が検索されて、端末装置２の表示画面に表示される。検索された関連記事の表示は、例えば樹形図表示される。【選択図】  図８
2009181451.tif 000002
【特許請求の範囲】
【請求項１】
端末装置から、インターネットを介してウェブサイト上の掲示板を管理するサーバ装置に対して、未来に生じるであろうと予測される事実に関する未来予測記事について、その本文内容、タイトル名、記事内容が生じると想定される未来日付に加えて、該掲示板上の参照記事があるときは該参照記事を特定して送信する第１ステップと、
前記第１ステップで送信されて前記掲示板に掲載される未来予測記事に対して固有の識別符合を付与する第２ステップと、
前記掲示板に掲載される未来予測記事について、その本文内容と、タイトル名と、未来日付と、前記第２ステップで付与された固有の識別符合と、参照記事があるときは該参照記事に付されている固有の識別符合となる参照符合とを対応付けしてデータベースとして記憶する第３ステップと、
前記端末装置から前記掲示板に掲載されている特定の未来予測記事に関連する関連記事が指定されたときに、該関連記事を前記データベース中の前記識別符合と前記参照符合とに基づいて検索する第４ステップと、
前記第４ステップで検索された関連記事を前記端末装置に送信する第５ステップと、
前記第５ステップで送信された関連記事を前記特定の未来予測記事と共に、前記端末装置の表示画面に表示する第６ステップと、
を備えていることを特徴とする新聞記事授受方法。
【請求項２】
請求項１において、
前記第６ステップでは、前記第５ステップで送信されてきた関連記事を前記特定の未来予測記事と共に樹形図的にまとめられた状態で前記表示画面に対して表示される、ことを特徴とする新聞記事授受方法。
【請求項３】
請求項２において、
前記参照記事が存在しない未来予測記事を第１世代記事、該第１世代記事を参照する未来予測記事を第２世代記事、該第２世代記事を参照する未来予測記事を第３世代記事というように未来予測記事を参照に基づく世代順で分類したとき、前記第４ステップでは、前記第１世代記事を検索して、この第１世代記事を始まりとすると共に該第１世代記事の未来日付よりも後の未来日付となる後世代の記事を全て検索し、
前記第６ステップでは、前記樹形図が、前記識別符合と参照符合とに基づいて世代間のつながりを示すように作成される、
ことを特徴とする新聞記事授受方法。
【請求項４】
請求項３において、
前記第４ステップでは、前記第１世代記事を始めとして該第１世代記事の未来日付よりも前の未来日付となる前世代の記事を全て検索し、
前記第６ステップでは、前記樹形図が、後世代の記事と前世代の記事とが前記第１世代記事を境にして互いに反対側に展開されるように表示される、
ことを特徴とする新聞記事授受方法。
【請求項５】
請求項１において、
前記参照記事が存在しない未来予測記事を第１世代記事、該第１世代記事を参照する未来予測記事を第２世代記事、該第２世代記事を参照する未来予測記事を第３世代記事というように未来予測記事を参照に基づく世代順で分類したとき、前記第４ステップでは、前記識別符合と前記参照符合とに基づいて、前記第１世代記事を始めとして前記第４ステップで指定された特定の未来予測記事に至る互いに参照関係で直列に連続される一連の記事を全て検索し、
前記第６ステップでは、前記一連の記事を表示する、
ことを特徴とする新聞記事授受方法。
【請求項６】
請求項５において、
前記第６ステップでは、前記一連の記事を世代順に直列に並べて表示する、ことを特徴とする新聞記事授受方法。
【請求項７】
請求項５において、
前記第６ステップでは、前記一連の記事を１つずつ順送りで表示する、ことを特徴とする新聞記事授受方法。
【請求項８】
請求項２ないし請求項６のいずれか１項において、
前記第６ステップでの前記表示画面に対する前記未来予測記事の表示手法として、拡大・縮小の表示手法を有するように設定され、
前記拡大・縮小の表示手法は、拡大されるほど各未来予測記事についての表示される情報内容が多くされる一方、縮小されるほど各記事について表示される情報内容が少なくされる、
ことを特徴とする新聞記事授受方法。
【請求項９】
請求項８において、
前記拡大・縮小の表示手法によって、各未来予測記事を枠のみで示して前記世代間の繋がりを示すように表示する第１表示状態と、各未来予測記事について未来日付とタイトル名との少なくとも一方を表示しつつ未来予測記事の本文内容を表示しない状態で前記世代間の繋がりを示す第２表示状態と、各未来予測記事について未来日付とタイトル名と本文内容とを表示する第３表示状態と、を選択できるように設定されている、
ことを特徴とする新聞記事授受方法。
【請求項１０】
請求項２ないし請求項６または請求項８、請求項９のいずれか１項において、
前記第６ステップでの前記表示画面に対する前記全ての記事の表示手法として、表示内容を移動させる機能を有するように設定され、
前記移動させる機能は、前記全ての記事について、前記表示画面で表示内容を全体的に上下、左右にスクロールさせるように設定されている、
ことを特徴とする新聞記事授受方法。
【請求項１１】
請求項１ないし請求項１０のいずれか１項において、
前記端末装置から前記サーバ装置に対して、特定の未来予測記事に対しての未来予測記事を書く記者名を指定する送信がされたとき、該指定された記者名に対応する端末装置に対して該特定の未来予測記事を参照記事として未来予測記事を書く記者として指定されたことを送信する第７ステップをさらに備えている、ことを特徴とする新聞記事授受方法。
【請求項１２】
請求項１ないし請求項１１のいずれか１項において、
前記掲示板に掲載された未来予測記事に対して広告の表示を行なう第８ステップと、
前記広告が利用されたときに、未来予測記事のうち該広告が掲載されている掲載記事と該掲載記事が参照する参照記事とに対してそれぞれ特定のポイントを付与して、該付与されたポイントと該ポイントが付与された未来予測記事記事とを対応づけて記憶する第９ステップと、
をさらに備えている、
ことを特徴とする新聞記事授受方法。
【請求項１３】
請求項１２において、
前記第９ステップにおいて、
前記参照記事が存在しない未来予測記事を第１世代記事、該第１世代記事を参照する未来予測記事を第２世代記事、該第２世代記事を参照する未来予測記事を第３世代記事というように未来予測記事を参照に基づく世代順で分類したとき、
前記広告が利用されたときに、未来予測記事のうち該広告が掲載されている掲載記事と該掲載記事が参照する複数の前世代に渡っての参照記事のそれぞれに特定のポイントを付与して、該付与されたポイントと該ポイントが付与された未来予測記事記事とを対応づけて記憶する、
ことを特徴とする新聞記事授受方法。
【請求項１４】
請求項１ないし請求項１３のいずれか１項において、
前記未来予測記事が、動画を含むように設定され、
前記第６ステップにおいて、あらかじめ設定された所定条件となったときに該表示画面上で該動画の再生が実行される、
ことを特徴とする新聞記事授受方法。
【請求項１５】
請求項１ないし請求項１４のいずれか１項において、
前記第６ステップでの記事表示に用いるコンピュータ用プログラムが、前記サーバ装置から前記端末装置に対して送信される、ことを特徴とする新聞記事授受方法。
【請求項１６】
請求項２ないし請求項６のいずれか１項において、
前記樹形図表示または一連表示において、参照記事の記事内容に対して被参照記事の記事内容がどのような関係であるかを示す識別符合が合わせて表示される、ことを特徴とする新聞記事授受方法。
【請求項１７】
請求項２ないし請求項４のいずれか１項において、
前記第６ステップで表示される同一世代の記事を、前記端末装置からの操作に応じてあらかじめ設定された条件にしたがって並べ替えるソートのステップをさらに有している、ことを特徴とする新聞記事授受方法。
【請求項１８】
請求項１７において、
前記あらかじめ設定された条件として、子記事または子孫記事の多い順、未来日付の順、記事の受信日順、アクセスの多い順、コメント数の多い順のいずれか２種類以上を含むようにされている、ことを特徴とする新聞記事授受方法。
【請求項１９】
インターネットに接続されたサーバ装置によって管理されるウェブサイト上の掲示板に、インターネットに接続された端末装置から入力される未来予測記事を掲載するようにした新聞記事掲載装置であって、
前記サーバ装置は、
前記端末装置から前記掲示板に掲載された未来予測記事に対して固有の識別符合を付与する識別符合付与機能と、
前記掲示板に掲載された未来予測記事について、その内容と、タイトル名と、未来日付と、前記第２ステップで付与された固有の識別符合と、参照記事があるときは該参照記事に付されている固有の識別符合となる参照符合とを対応付けしてデータベースとして記憶する記憶機能と、
前記端末装置から前記掲示板に掲載されている特定の未来予測記事が選択されたときに、該特定の未来予測記事に関連する全ての未来予測記事を前記データベース中の前記識別符合と前記参照符合とに基づいて検索する検索機能と、
前記検索された全ての未来予測記事を前記端末装置に送信する記事送信機能と、
を備えていることを特徴とする新聞装置。
【請求項２０】
請求項１９において、
前記参照記事が存在しない記事を第１世代記事、該第１世代記事を参照する記事を第２世代記事、該第２世代記事を参照する記事を第３世代記事というように記事を前記参照符合に基づいて世代順で分類したとき、前記検索機能においては、前記第１世代記事を検索して、この第１世代記事を始まりとする後世代の記事を全て検索する、ことを特徴とする新聞記事掲載装置。
【請求項２１】
請求項２０において、
前記サーバ装置は、前記端末装置に対して、前記記事送信手段によって送信される全ての未来予測記事を前記世代順に整理して樹形図的に表示させるためのコンピュータ用プログラムを送信するプログラム送信機能をさらに備えている、ことを特徴とする新聞記事掲載装置。
【請求項２２】
請求項２１において、
前記端末装置に送信される前記プログラムは、該端末装置における表示画面において前記樹形図を拡大・縮小して表示させる手順を実行させるように設定され、
前記拡大・縮小の表示の手順においては、拡大されるほど各記事についての表示される情報内容が多くされる一方、縮小されるほど各記事について表示される情報内容が少なくされる、
ことを特徴とする新聞記事掲載装置。
【請求項２３】
請求項２１または請求項２２において、
前記プログラムは、前記端末装置に対して、前記表示画面に表示されている樹形図を上下、左右にスクロールさせる手順を実行させるように設定されている、
ことを特徴とする新聞記事掲載装置。
【請求項２４】
請求項１９ないし請求項２３のいずれか１項において、
前記サーバ装置は、前記端末装置から特定の未来予測記事に対しての未来予測記事を書く記者名を指定する入力がされたとき、該指定された記者名に対応する端末装置に対して該特定の未来予測記事に対して記者として指定されたことを送信する指名通知の機能を有する、ことを特徴とする新聞記事掲載装置。
【請求項２５】
請求項１９ないし請求項２４のいずれか１項において、
前記サーバ装置は、
前記掲載記事に対して広告の表示を行なう機能と、
前記広告が利用されたときに、該広告が掲載されている掲載記事と該掲載記事が参照する参照記事とに対してそれぞれ特定のポイントを付与して、該付与されたポイントと該ポイントが付与された記事とを対応づけて記憶する機能と、
を有する、
ことを特徴とする新聞記事掲載装置。
【請求項２６】
インターネットに接続される端末装置に用いられるコンピュータ用プログラムであって、
インターネットに接続されたサーバ装置によって管理されているウェブサイト上の掲示板に掲載されている未来予測に関する特定の未来予測記事を選択する記事指定の手順と、
前記選択された未来予測記事および該選択された未来予測記事に関連する複数の未来予測記事を、各未来予測記事について固有の識別符合および各未来予測記事が参照している参照記事についての識別符合となる参照識別符合と共に前記サーバ装置から受信する手順と、
前記参照記事が存在しない記事を第１世代記事、該第１世代記事を参照する記事を第２世代記事、該第２世代記事を参照する記事を第３世代記事というように記事を前記識別符合と参照識別符合とに基づいて世代順で分類したとき、前記受信した全ての記事について該世代順に分類された樹形図の形式でもって表示させる手順と、
を実行させることを特徴とするコンピュータ用プログラム。
【請求項２７】
請求項２６において、
前記樹形図を、拡大・縮小させて表示させる手順を実行させるように設定され、
前記拡大・縮小の表示の手順は、拡大されるほど各記事についての表示される情報内容が多くされる一方、縮小されるほど各記事について表示される情報内容が少なくされる、
ことを特徴とするコンピュータ用プログラム。
【請求項２８】
請求項２７において、
前記拡大・縮小の表示の手順によって、各未来予測記事を枠のみで示して前記世代間の繋がりを示すように表示する第１表示状態と、各未来予測記事について未来日付とタイトル名との少なくとも一方を表示しつつ未来予測記事の本文内容を表示しない状態で前記世代間の繋がりを示す第２表示状態と、各未来予測記事について未来日付とタイトル名と本文内容とを表示する第３表示状態と、を選択できるように設定されている、
ことを特徴とするコンピュータ用プログラム。
【請求項２９】
請求項２６ないし請求項２８のいずれか１項において、
前記樹形図を、前記表示画面上で上下、左右にスクロールさせる移動の手順を有するように設定されている、
ことを特徴とするコンピュータ用プログラム。
【請求項３０】
請求項２６ないし請求項２９のいずれか１項において、
前記樹形図表示または一連表示において、参照記事の記事内容に対して被参照記事の記事内容がどのような関係であるかを示す識別符合を合わせて表示させる手順をさらに有している、ことを特徴とする新聞記事授受方法。
【請求項３１】
請求項２６ないし請求項３０のいずれか１項において、
同一世代の記事を、あらかじめ設定された条件にしたがって並べ替えるソートの手順をさらに有している、ことを特徴とするコンピュータ用プログラム。
【請求項３２】
請求項３１において、
前記あらかじめ設定された条件として、子記事または子孫記事の多い順、未来日付の順、記事の受信日順、アクセスの多い順、コメント数の多い順のいずれか２種類以上を含むようにされている、ことを特徴とするコンピュータ用プログラム。
【請求項３３】
請求項２６ないし請求項３２のいずれか１項において、
前記樹形図が表示されている状態で特定の未来予測記事が指定されたことを条件として、前記識別符合と前記参照符合とに基づいて、前記第１世代記事を始めとして該特定の未来予測記事に至る互いに参照関係で直列に連続される一連の記事を検索して、該検索された一連の記事を直列に表示する手順と、
前記一連の記事を表示している状態から前記樹形図を表示する状態へ復帰させる手順と、
をさらに有している、
ことを特徴とするコンピュータ用プログラム。
【請求項３４】
請求項２６ないし請求項３３のいずれか１項に記載のコンピュータ用プログラムを記憶したコンピュータの読取可能な記憶媒体。
【発明の詳細な説明】
【技術分野】
【０００１】
本発明は、新聞記事授受方法、新聞記事掲載装置およびそのプログラムと記憶媒体に関するものである。
【背景技術】
【０００２】
インターネットを用いた情報の授受が頻繁に行われるようになっており、このため、極めて多数の各種情報がウェブサイト上の掲示板に掲載されている。掲示板に掲載されている情報に対しては、コメントを書くようにされているものも多々あるが、コメント記載を利用した情報のやりとりは断片的なものが多く、関連ある多数の情報を整理した状態で得ることが難しいものとなっている。
【０００３】
特許文献１には、電子メールやネットニュース、電子掲示板など、通信ネットワークを使って多数のユーザにより交換される情報を、参照関係やヘッダ情報から検索して、検索結果を木構造でもって整理する手法が開示されている。
【特許文献１】特開２０００−２３１５６１号公報
【発明の開示】
【発明が解決しようとする課題】
【０００４】
ところで、最近では、地球の限界等からくる環境問題や科学技術等の広い分野に渡って、将来（未来）はどうなるであろうかという予測や、予測に基づいてどのようにして行動すべきかというように、未来に関する関心が非常に高まっている。しかしながら、従来の未来の予測は、特定の個人や団体等の狭い範囲で行われるにとどまっているのが現状であり、広く人類の英知を結集するというものとはなっていない。
【０００５】
個人が未来を予想する場合には、通常、せいぜい将棋で言うところの「数手」先までしか読まないし、読めない。なぜなら、未来の可能性の枝はどんどん枝分かれしてネズミ算式に膨れ上がって行くため、少し先の事になっただけでも個人が予想できる限界を超えてしまうからである。また、未来を予想する作業を一人でやると、個人の嗜好に偏ったり、漏れが生じたりして、ひとりよがりなものになってしまいがちである。これは、公的な社会情勢を予測する場合でも、個人の将来設計を立てる場合にもあてはまる。そもそも、未来予測を紙面などでフローチャートのように可視化して行う作業は、ほとんどの人がやったことがないであろう。不十分な未来予測のもとでは、未来において理想を実現するために取りうる選択肢の数も少ししか思いつかないし、起きたことの多くが想定外となってしまい、現実に何かが起きてからはじめてそれに対応する行動を講じる外なくなってしまう。また、どの選択肢がどのような結果に結びつく可能性が高いかについても十分分からないままに、それこそ「行き当たりばったり」的な行動をしてしまいがちになる。
【０００６】
本発明は以上のような事情を勘案してなされたもので、その第１の目的は、未来予測についてより広い範囲でもって人類の英知を結集できるようにした新聞記事授受方法を提供することにある。
本発明の第２の目的は、上記新聞記事授受方法に用いる新聞記事掲載装置を提供することにある。
本発明の第３の目的は、上記新聞記事授受方法に用いるコンピュータ用プログラムを提供することにある。
本発明の第４の目的は、上記コンピュータ用プログラムを記憶した記憶媒体を提供することにある。
【課題を解決するための手段】
【０００７】
前記目的を達成するため、本発明における新聞記事授受方法にあっては次のような解決手法を採択してある。すなわち、特許請求の範囲における請求項１に記載のように、
端末装置から、インターネットを介してウェブサイト上の掲示板を管理するサーバ装置に対して、未来に生じるであろうと予測される事実に関する未来予測記事について、その本文内容、タイトル名、記事内容が生じると想定される未来日付に加えて、該掲示板上の参照記事があるときは該参照記事を特定して送信する第１ステップと、
前記第１ステップで送信されて前記掲示板に掲載される未来予測記事に対して固有の識別符合を付与する第２ステップと、
前記掲示板に掲載される未来予測記事について、その本文内容と、タイトル名と、未来日付と、前記第２ステップで付与された固有の識別符合と、参照記事があるときは該参照記事に付されている固有の識別符合となる参照符合とを対応付けしてデータベースとして記憶する第３ステップと、
前記端末装置から前記掲示板に掲載されている特定の未来予測記事に関連する関連記事が指定されたときに、該関連記事を前記データベース中の前記識別符合と前記参照符合とに基づいて検索する第４ステップと、
前記第４ステップで検索された関連記事を前記端末装置に送信する第５ステップと、
前記第５ステップで送信された関連記事を前記特定の未来予測記事と共に、前記端末装置の表示画面に表示する第６ステップと、
を備えているようにしてある。
【０００８】
上記解決手法を前提とした好ましい態様は、特許請求の範囲における請求項２〜請求項１８に記載のとおりである。すなわち、
前記第６ステップでは、前記第５ステップで送信されてきた関連記事を前記特定の未来予測記事と共に樹形図的にまとめられた状態で前記表示画面に対して表示される、ようにしてある（請求項２対応）。
【０００９】
前記参照記事が存在しない未来予測記事を第１世代記事、該第１世代記事を参照する未来予測記事を第２世代記事、該第２世代記事を参照する未来予測記事を第３世代記事というように未来予測記事を参照に基づく世代順で分類したとき、前記第４ステップでは、前記第１世代記事を検索して、この第１世代記事を始まりとすると共に該第１世代記事の未来日付よりも後の未来日付となる後世代の記事を全て検索し、
前記第６ステップでは、前記樹形図が、前記識別符合と参照符合とに基づいて世代間のつながりを示すように作成される、
ようにしてある（請求項３対応）。
【００１０】
前記第４ステップでは、前記第１世代記事を始めとして該第１世代記事の未来日付よりも前の未来日付となる前世代の記事を全て検索し、
前記第６ステップでは、前記樹形図が、後世代の記事と前世代の記事とが前記第１世代記事を境にして互いに反対側に展開されるように表示される、
ようにしてある（請求項４対応）。
【００１１】
前記参照記事が存在しない未来予測記事を第１世代記事、該第１世代記事を参照する未来予測記事を第２世代記事、該第２世代記事を参照する未来予測記事を第３世代記事というように未来予測記事を参照に基づく世代順で分類したとき、前記第４ステップでは、前記識別符合と前記参照符合とに基づいて、前記第１世代記事を始めとして前記第４ステップで指定された特定の未来予測記事に至る互いに参照関係で直列に連続される一連の記事を全て検索し、
前記第６ステップでは、前記一連の記事を表示する、
ようにしてある（請求項５対応）。
【００１２】
前記第６ステップでは、前記一連の記事を世代順に直列に並べて表示する、ようにしてある（請求項６対応）。
【００１３】
前記第６ステップでは、前記一連の記事を１つずつ順送りで表示する、ようにしてある（請求項７対応）。
【００１４】
前記第６ステップでの前記表示画面に対する前記未来予測記事の表示手法として、拡大・縮小の表示手法を有するように設定され、
前記拡大・縮小の表示手法は、拡大されるほど各未来予測記事についての表示される情報内容が多くされる一方、縮小されるほど各記事について表示される情報内容が少なくされる、
ようにしてある（請求項８対応）。
【００１５】
前記拡大・縮小の表示手法によって、各未来予測記事を枠のみで示して前記世代間の繋がりを示すように表示する第１表示状態と、各未来予測記事について未来日付とタイトル名との少なくとも一方を表示しつつ未来予測記事の本文内容を表示しない状態で前記世代間の繋がりを示す第２表示状態と、各未来予測記事について未来日付とタイトル名と本文内容とを表示する第３表示状態と、を選択できるように設定されている、
ようにしてある（請求項９対応）。
【００１６】
前記第６ステップでの前記表示画面に対する前記全ての記事の表示手法として、表示内容を移動させる機能を有するように設定され、
前記移動させる機能は、前記全ての記事について、前記表示画面で表示内容を全体的に上下、左右にスクロールさせるように設定されている、
ようにしてある（請求項１０対応）。
【００１７】
前記端末装置から前記サーバ装置に対して、特定の未来予測記事に対しての未来予測記事を書く記者名を指定する送信がされたとき、該指定された記者名に対応する端末装置に対して該特定の未来予測記事を参照記事として未来予測記事を書く記者として指定されたことを送信する第７ステップをさらに備えている、ようにしてある（請求項１１対応）。
【００１８】
前記掲示板に掲載された未来予測記事に対して広告の表示を行なう第８ステップと、
前記広告が利用されたときに、未来予測記事のうち該広告が掲載されている掲載記事と該掲載記事が参照する参照記事とに対してそれぞれ特定のポイントを付与して、該付与されたポイントと該ポイントが付与された未来予測記事記事とを対応づけて記憶する第９ステップと、
をさらに備えている、
ようにしてある（請求項１２対応）。
【００１９】
前記第９ステップにおいて、
前記参照記事が存在しない未来予測記事を第１世代記事、該第１世代記事を参照する未来予測記事を第２世代記事、該第２世代記事を参照する未来予測記事を第３世代記事というように未来予測記事を参照に基づく世代順で分類したとき、
前記広告が利用されたときに、未来予測記事のうち該広告が掲載されている掲載記事と該掲載記事が参照する複数の前世代に渡っての参照記事のそれぞれに特定のポイントを付与して、該付与されたポイントと該ポイントが付与された未来予測記事記事とを対応づけて記憶する、
ようにしてある（請求項１３対応）。
【００２０】
前記未来予測記事が、動画を含むように設定され、
前記第６ステップにおいて、あらかじめ設定された所定条件となったときに該表示画面上で該動画の再生が実行される、
ようにしてある（請求項１４対応）。
【００２１】
前記第６ステップでの記事表示に用いるコンピュータ用プログラムが、前記サーバ装置から前記端末装置に対して送信される、ようにしてある（請求項１５対応）。
【００２２】
前記樹形図表示または一連表示において、参照記事の記事内容に対して被参照記事の記事内容がどのような関係であるかを示す識別符合が合わせて表示される、ようにしてある（請求項１６対応）。
【００２３】
前記第６ステップで表示される同一世代の記事を、前記端末装置からの操作に応じてあらかじめ設定された条件にしたがって並べ替えるソートのステップをさらに有している、ようにしてある（請求項１７対応）。
【００２４】
前記あらかじめ設定された条件として、子記事または子孫記事の多い順、未来日付の順、記事の受信日順、アクセスの多い順、コメント数の多い順のいずれか２種類以上を含むようにされている、ようにしてある（請求項１８対応）。
【００２５】
前記目的を達成するため、本発明における新聞記事掲載装置にあっては次のような解決手法を採択してある。すなわち、特許請求の範囲における請求項１９記載のように、
インターネットに接続されたサーバ装置によって管理されるウェブサイト上の掲示板に、インターネットに接続された端末装置から入力される未来予測記事を掲載するようにした新聞記事掲載装置であって、
前記サーバ装置は、
前記端末装置から前記掲示板に掲載された未来予測記事に対して固有の識別符合を付与する識別符合付与機能と、
前記掲示板に掲載された未来予測記事について、その内容と、タイトル名と、未来日付と、前記第２ステップで付与された固有の識別符合と、参照記事があるときは該参照記事に付されている固有の識別符合となる参照符合とを対応付けしてデータベースとして記憶する記憶機能と、
前記端末装置から前記掲示板に掲載されている特定の未来予測記事が選択されたときに、該特定の未来予測記事に関連する全ての未来予測記事を前記データベース中の前記識別符合と前記参照符合とに基づいて検索する検索機能と、
前記検索された全ての未来予測記事を前記端末装置に送信する記事送信機能と、
を備えているようにしてある。
【００２６】
上記解決手法を前提とした好ましい態様は、特許請求の範囲における請求項２０〜請求項２５に記載のとおりである。すなわち、
前記参照記事が存在しない記事を第１世代記事、該第１世代記事を参照する記事を第２世代記事、該第２世代記事を参照する記事を第３世代記事というように記事を前記参照符合に基づいて世代順で分類したとき、前記検索機能においては、前記第１世代記事を検索して、この第１世代記事を始まりとする後世代の記事を全て検索する、ようにしてある（請求項２０対応）。
【００２７】
前記サーバ装置は、前記端末装置に対して、前記記事送信手段によって送信される全ての未来予測記事を前記世代順に整理して樹形図的に表示させるためのコンピュータ用プログラムを送信するプログラム送信機能をさらに備えている、ようにしてある（請求項２１対応）。
【００２８】
前記端末装置に送信される前記プログラムは、該端末装置における表示画面において前記樹形図を拡大・縮小して表示させる手順を実行させるように設定され、
前記拡大・縮小の表示の手順においては、拡大されるほど各記事についての表示される情報内容が多くされる一方、縮小されるほど各記事について表示される情報内容が少なくされる、
ようにしてある（請求項２２対応）。
【００２９】
前記プログラムは、前記端末装置に対して、前記表示画面に表示されている樹形図を上下、左右にスクロールさせる手順を実行させるように設定されている、
ようにしてある（請求項２３対応）。
【００３０】
前記サーバ装置は、前記端末装置から特定の未来予測記事に対しての未来予測記事を書く記者名を指定する入力がされたとき、該指定された記者名に対応する端末装置に対して該特定の未来予測記事に対して記者として指定されたことを送信する指名通知の機能を有する、ようにしてある（請求項２４対応）。
【００３１】
前記サーバ装置は、
前記掲載記事に対して広告の表示を行なう機能と、
前記広告が利用されたときに、該広告が掲載されている掲載記事と該掲載記事が参照する参照記事とに対してそれぞれ特定のポイントを付与して、該付与されたポイントと該ポイントが付与された記事とを対応づけて記憶する機能と、
を有する、
ようにしてある（請求項２５対応）。
【００３２】
前記目的を達成するため、本発明におけるコンピュータ用プログラムにあっては次のような解決手法を採択してある。すなわち、特許請求の範囲における請求項２６に記載のように、
インターネットに接続される端末装置に用いられるコンピュータ用プログラムであって、
インターネットに接続されたサーバ装置によって管理されているウェブサイト上の掲示板に掲載されている未来予測に関する特定の未来予測記事を選択する記事指定の手順と、
前記選択された未来予測記事および該選択された未来予測記事に関連する複数の未来予測記事を、各未来予測記事について固有の識別符合および各未来予測記事が参照している参照記事についての識別符合となる参照識別符合と共に前記サーバ装置から受信する手順と、
前記参照記事が存在しない記事を第１世代記事、該第１世代記事を参照する記事を第２世代記事、該第２世代記事を参照する記事を第３世代記事というように記事を前記識別符合と参照識別符合とに基づいて世代順で分類したとき、前記受信した全ての記事について該世代順に分類された樹形図の形式でもって表示させる手順と、
を実行させるようにしてある。
【００３３】
上記解決手法を前提とした好ましい態様は、特許請求の範囲における請求項２７〜請求項３３に記載のとおりである。すなわち、
前記樹形図を、拡大・縮小させて表示させる手順を実行させるように設定され、
前記拡大・縮小の表示の手順は、拡大されるほど各記事についての表示される情報内容が多くされる一方、縮小されるほど各記事について表示される情報内容が少なくされる、
ようにしてある（請求項２７対応）。
【００３４】
前記拡大・縮小の表示の手順によって、各未来予測記事を枠のみで示して前記世代間の繋がりを示すように表示する第１表示状態と、各未来予測記事について未来日付とタイトル名との少なくとも一方を表示しつつ未来予測記事の本文内容を表示しない状態で前記世代間の繋がりを示す第２表示状態と、各未来予測記事について未来日付とタイトル名と本文内容とを表示する第３表示状態と、を選択できるように設定されている、
ようにしてある（請求項２８対応）。
【００３５】
前記樹形図を、前記表示画面上で上下、左右にスクロールさせる移動の手順を有するように設定されている、ようにしてある（請求項２９対応）。
【００３６】
前記樹形図表示または一連表示において、参照記事の記事内容に対して被参照記事の記事内容がどのような関係であるかを示す識別符合を合わせて表示させる手順をさらに有している、ようにしてある（請求項３０対応）。
【００３７】
同一世代の記事を、あらかじめ設定された条件にしたがって並べ替えるソートの手順をさらに有している、ようにしてある（請求項３１対応）。
【００３８】
前記あらかじめ設定された条件として、子記事または子孫記事の多い順、未来日付の順、記事の受信日順、アクセスの多い順、コメント数の多い順のいずれか２種類以上を含むようにされている、ようにしてある（請求項３２対応）。
【００３９】
前記樹形図が表示されている状態で特定の未来予測記事が指定されたことを条件として、前記識別符合と前記参照符合とに基づいて、前記第１世代記事を始めとして該特定の未来予測記事に至る互いに参照関係で直列に連続される一連の記事を検索して、該検索された一連の記事を直列に表示する手順と、
前記一連の記事を表示している状態から前記樹形図を表示する状態へ復帰させる手順と、
をさらに有している、
ようにしてある（請求項３３対応）。
【００４０】
前記目的を達成するため、本発明におけるコンピュータによって読取可能な記憶媒体にあっては、請求項３３に記載のように、請求項２６ないし請求項３３のいずれか１項に記載のコンピュータ用プログラムを記憶したものとしてある。
【００４１】
前述した各種の解決手法によれば、次のようなことが期待できる。
１．多数人で未来を予想できることのメリット
本発明のインフラを使えば、参加者は、あらゆる分野の未来についての予想コンテンツ（未来予測記事）や、それらを踏まえて起こると想定される各世代のコンテンツを、作成したり、読んだり見たり聞いたりすることもでき、またコメント書き込みを可能とした場合はこれに対してコメントをしたりすることを、多人数で行うことができる。こうして、他の参加者とインタラクティブに協働し、それぞれの能力を結集して未来予測を行うプロセスの中で、あらゆる分野の未来についての、良い未来から悪い未来まで枝分かれしたリアルな予想図（文章、画像、音声などにより構成される）を大量に作成、取得することができる。
未来のリアルな予想図＝ビジョンをあらかじめ大量に手に入れることができるようになれば、参加者は、理想的な未来を最適な方法で実現し、かつ未来のネガティブな事象が起きることを防ぐための行動の指針を得ることができる。後者は、「転ばぬ先の杖を手にする」と言い換えることも可能である。
参加者は、本発明によって得られた未来の予想図を参考にして、自らの仕事、趣味や余暇、お金の使い方などについての指針を得ることができ、以前よりも長期的視点に立った選択をすることが可能になり、参加しない者に対して一定のアドバンテージを得ることができる。
また、国際紛争、南北問題、地球環境問題、人口問題、食料問題、エネルギー問題といった、各人あるいは各人の子孫の未来に直接関わる世界規模の諸問題についても、従来のように専門家任せにせずに、未来予測記事を書くことによって一部だけでも自分の意見を反映させることが可能になる。
【００４２】
２．楽しい
本発明においては、自分が未来予測記事を作成すればその内容次第で他の参加者によって子記事作成されたり、コメントやレーティングを設定したときはこれらを付けられたりする。何かを発言したときに反応があるというのはそれだけで人間の本源的な喜びとなることである。加えて、十人十色であるから予測分野も得手不得手があるもので、自分の予測に呼応してつながる予想外の未来コンテンツを発見する楽しみもある。
また、コンテンツ作成者指名機能を設定した場合は、指名された参加者は、自分が指名されたことで、一定の資質を他者から認められたことになり、いわゆる承認欲求が充たされる。このことにより、参加者間のコミュニケーションが活発化し、ネット上での、共に未来を予測する者同士という精神的つながりを得ることができる。
未来予測には、各人の専門性や嗜好の違いが反映されるため、知り合い同士でコミュニティ形式で利用する場合には、各人の意外な性格を発見したりなど、相互理解にも役立つ。
更に、未来の予想図が大量に作成、取得された後に現実の因果の流れを観察していくのは知的に非常に楽しい作業であろう。自分では当たると思った内容が外れて驚いたり、予想外の出来事をあらかじめ予測していた参加者に啓発されたりなど。
上述のような、自らの将来の行動が関わらない情勢を予測する楽しさがある一方で、コンテンツの内容を自らの行動で積極的に現実化させる楽しさもある。未来の青写真を描いておいて有言実行することや、仲間を募集して協力し合って実行することもできる。
本発明においては、自分が作成したコンテンツの子孫コンテンツの数の一定期間における累計や、作成したコンテンツの平均レーティング、コンテンツに対する平均アクセス数、どれくらい当たったかの的中度判定などによって、参加者のランキングができるように設定した場合は、これはゲーム的な要素であり、自己顕示欲や、競争心のある人にとっては楽しい仕組みであろう。
【００４３】
３．参加者の能力開発
未来を読み込むということ自体、個人の想像力を鍛えることになる。しかしこれは従来は孤独な作業であり、楽しむことができるのはわずかな人間に過ぎなかったと思われる。また、未来をきちんと予想しようと思えば、自分の不得手な分野や専門外の分野を調査・勉強することも含めて延々と作業をしなければならず、敷居が高いし、ある意味苦痛を伴うことが予想される。
しかし、前記２項で述べたように、本発明は様々な人間の欲求を充たす楽しいものであるので、より沢山の人と協働して未来予測という作業を楽しむことができる。また、断片的に予想したとしても、その予想に先の展開を他の参加者が作成してくれるので延々と作業をする必要が小さく、敷居が低いし楽である。
このように、苦痛を伴わず楽しむプロセスであるので、参加者はこの未来予測という作業を比較的たやすく続けることができる。そして、未来についてのコンテンツを書いたり読んだりする作業を続けていると、普段から未来を予測ないし想像する習慣がつき、未来を予測ないし想像する能力が自然に開花するものと思われる。
また、未来の因果の流れは、一つの出来事が多数の出来事に因果を及ぼしたり、当事者による選択や、他の出来事などの影響を受けたりすることによって、いくらでも枝分かれしていく（現実にも、予想のプロセスにおいても）わけであるが、本発明においては、この無限にありうる因果の流れの枝分かれを樹形図に可視化して、拡大−縮小−移動を自由にできることで極めて見やすいものにしている。そのため、樹形図を拡大−縮小−移動して眺めているだけでも、未来への因果の流れが一本の決定された経過をたどるのではなく、いくらでも枝分かれしながら変動していくことを視覚的に学習することができるのである。
このことの意味は非常に大きい。「終わらない日常」などの言葉でよく表現されているが、人間というものは、自分の現在の日常（あまり好ましくないもの）に取り込まれてしまった場合、視野狭窄に陥り、そこから抜け出す可能性というものを想像するのが難しいものである。「もう自分の未来は決まってしまっている」と思い込んでしまったとき、その人間の想像力は閉じ込められ、可能性は閉ざされてしまうことが多い。本発明は、参加者に対して、自分の未来が決定されているのではなく、自分のこれからの選択によって変更していくことができることに気づくきっかけを与え、その能力を向上することを可能にするものである。
旧人（ネアンデルタール人など）よりも、体格や脳の大きさが小さかったにも関わらず、われわれホモ・サピエンス・サピエンスが地球上の主役となることができたのは、未来を予測する・他者に共感するなどの役割を有する前頭葉が大きかったからだと推測されている。これからの人類にも課題が山積しているが、本発明が、地球市民が能力を開発し、協力し合って解決していくモデルを提示することが期待できる。
【００４４】
４．未来に至るステップの想像、及び創造
本発明においては、あるトピックについて最初に作成された（親コンテンツを持たないという意味の）コンテンツ（「始祖コンテンツ＝始祖記事」と呼ぶ）より前の日付のコンテンツを作成すること、すなわち始祖コンテンツの原因となる、時間を遡ったコンテンツを組み入れることもできる。このことによって、ある、最初に設定された未来の着地点に至るプロセスを、多数人の知恵を結集して想像、ないし創造することが可能である。これは理想的な未来が最初に書かれた場合には、その理想的な未来を実現するための具体的プロセスを幾種類も想像ないし創造していく作業になり、理想的な未来を実際に実現することが大きく促進されることになる。一方で、ネガティブな未来が最初に描かれた場合には、そのネガティブな未来が実現していくプロセスを幾通りも予想することになり、ネガティブな未来を防ぐことが可能になる。
【００４５】
５．樹形図表示する場合の効用について
（１）個々の情報が統合され、全体として意味を持つ
ある始祖コンテンツ（始祖記事）を参加者が作成した場合、その続きを作成者本人または他の参加者が子孫コンテンツ（子記事）として作成して行くことになる。子孫コンテンツは、その内容に応じて、既存コンテンツの子コンテンツとして、あるいは既存コンテンツに並列した兄弟コンテンツとして、作成することが可能である。どのコンテンツにつなげて子コンテンツとするか、あるいは新たな始祖コンテンツとして作成するかは、作成者本人が決定できる。これらの作業によって、一つ一つのコンテンツが有機的につながりながら、幾通りにも枝分かれして拡散的に生成されて行く。
既存媒体では、リレー形式（リレー小説など）や、ツリー形式（ツリー式掲示板など）でのコンテンツ作成がある。しかし、リレー形式の場合、不適切なコンテンツが１つでも入ると、それを無視することができず、全体が駄目になる場合がある。ツリー形式なら、不適切なコンテンツを無視して、それと並列して別の適切なコンテンツを作成することは可能であるが、コンテンツの数が増えた場合に、コンテンツ相互の連なりや枝分かれが見づらくなってしまう。
本発明の樹形図は、多人数で協働しながら自動的に作成できる点、ノードが原則コンテンツのタイトルのみでありノードをクリックするとコンテンツ内容が表示される点、拡大−縮小−移動を自由にできるように設定できる点、ソートできる点などを適宜採択できるので効果的である。
樹形図においては、断片的ともいえる各コンテンツが、連なりと枝分かれを含んだ拡散によって、統合された情報としての価値を持つようになる。すなわち、ひと目で全体としてのまとまり、つながりが認識できる、意味に満ちた知的な構造物が生み出されることになるのである。
【００４６】
（２）樹形図による可視化の効用１
樹形図表示においては、コンテンツの連なる樹形図を、拡大−縮小−移動する設定としておくことにより、議論の因果の流れの枝分かれを、ミクロ的観点からもマクロ的（＝俯瞰的）観点からも、そしてその中間的な観点からも図形的・視覚的に理解することができる。それはあたかも、自動車のナビゲーションシステムで用いられる画像において、縮尺を自由に切り替えることによって、自車の位置をミクロ的にもマクロ的にも把握するかのごときである。このことによって、参加者は個々のコンテンツの内容と、全体の議論の因果の流れとの関係性、そして各コンテンツ相互の関係性などについて、他の参加者と共通する本質的な理解を得ることが可能になる。
そしてこのようなミクロ及びマクロ的観点からの、議論の流れについての共通の深い理解を持ったそれぞれの参加者が更に子孫コンテンツを作成していくことによって、各参加者が、全体とのつながりを意識しつつ、個々の能力を自由に発揮することができることになる。
多数人が議論に参加する場合にうまくいかない原因のひとつは、「今何を議論しているのか」「前にその話題についてはどこまで議論したのか」などの、議論におけるいわば「位置情報」を各参加者が分からないまま、全ての話を同時に一緒くたにして議論することで各参加者が混乱し、共通認識を持たず、しかもそれを各人が自覚しないまま議論することにある。しかし樹形図を用いたネット上の議論では、議論していることや、前の議論の流れなどが樹形図上にはっきりと可視化されるために、そのような無用の混乱が起きる可能性が低い。
【００４７】
（３）樹形図による可視化の効用２
樹形図においては、ある始祖コンテンツから派生して生まれた一世代目のコンテンツが複数あった場合に、その表示順を、そのコンテンツから更に派生して生まれた全ての子孫コンテンツの数ないしこれを基準に作った指数によって決めることができる。この方式は二世代目以降にも適用される。他にも、参加者が付けたレーティングや、コメント数などを基準にして樹形図上の表示順を決めることもできる。
多数人がコンテンツの作成に関与してあまりに多くのコンテンツが表示された場合、どのコンテンツを見れば良いのか取捨選択に困ることになるが、この仕組みによって、コンテンツを視聴ないし閲覧する者は、樹形図を俯瞰したときに、どの話の流れが主要なのかを一覧して判断することができ、多数あるコンテンツの中から、感覚的に主要な流れを選び出すことができる。なお、一連表示の場合は、始祖コンテンツから選択された特定のコンテンツへと至る思考の流れがより明確に特定されることになる。
【００４８】
６．広告システムの効用について
本発明においては、あるコンテンツを作成したものは、このコンテンツの子孫コンテンツから得られる広告収入の分配を受けることができるようにすることができる。既存のネットビジネスでのティア（他サイトを紹介することにより、多階層で収入を受け取るシステム）に類似した概念である。ただし、他のウェブサイトを介することなく本発明の未来新聞サイト内で完結するシステムである点、単なる紹介ではなく意味のある相互のコンテンツのつながりから連動したシステムである点などがティアとは異なる。
これにより、コンテンツ作成者は、一つのコンテンツであっても、質の高いもの・展望や広がりのあるものを作成して、多数の子孫記事を獲得することができれば、通常のブログなどで一つの記事から得られる広告等の収入よりもずっと大きな収入を得ることができ、いわゆる「てこの原理」＝レバレッジを利かせることができる。このことにより、従来はベストセラーでも出さない限り収入につながらなかった個人のコンテンツ作成作業において、より多くの人がコンテンツの本来あるべき価値に応じた収入を得ることができ、個人のコンテンツ作成に対するモチベーションが高くなることが期待できる。
【発明の効果】
【００４９】
本発明にあっては、多数人で未来を予想できることは勿論のこと、楽しむことや能力開発にもつながるものが提供される。
【発明を実施するための最良の形態】
【００５０】
図１において、１はサーバ装置、２Ａ，２Ｂはそれぞれ端末装置であり、各装置１、２Ａ、２Ｂは互いにインターネットＷを介して接続されている。各装置１、２Ａ、２Ｂは、コンピュータを利用して構成されているが、端末装置２Ａ、２Ｂとしては、例えばパーソナルコンピュータ、携帯電話、ＰＤＡ等、インターネットＷを介してサーバ装置１と通信できると共に表示画面を有するものであれば、適宜のものを利用できる。また、図１では、端末装置２Ａ、２Ｂを代表的に２台のみを示しているものである。なお以下の説明で特に端末装置２Ａ、２Ｂを区別しないときは、端末装置を単に符合「２」でのみ示すこととする。
【００５１】
図２は、サーバ装置１の内部構成の概略を示すものである。すなわち、サーバ装置１は、それぞれバス１０に接続された制御部１１，通信部１２，第１記憶部１３，第２記憶部１４を有する。制御部１１は、ＣＰＵ、ＲＯＭ、ＲＡＭ、ＣＬＯＣＫ等を有して、後述する各種の制御を行うものである。通信部１２は、インターネットＷに接続されて、端末装置２と通信を行うものである。第１記憶部１３は、例えば大容量のＨＤＤ等によって構成されて、後述する未来予測記事に関する各種情報をデータベースとして記憶しておくものである。第２記憶部１４は、通信部１２を介して現在通信している端末装置２の情報を一時的に記憶しておくものである。
【００５２】
上記第１記憶部１３に記憶される内容としては、図３に示すように、１つの未来予測記事毎に、例えば次の項目が設定されている。すなわち、ある１つの未来予測記事を他の未来予測記事と区別するためのＵＵＩＤ（ユニバーサル  ユニーク  ＩＤ）で、このＵＵＩＤは、端末装置２から未来予測記事（投稿記事）が送信されてくる毎に新たに付与、記憶されることになる。未来予測記事を送信してきた端末装置２Ａ，２Ｂを区別するためにそのＵＲＬが記憶される。送信されてきた未来予測記事に関して、その記者名（著作者名）、送信日となる受付日、未来予測記事の日付となる未来日付、未来予測記事の題名（タイトル名で、見出し）および本文（本文内容）が記憶される。
【００５３】
未来予測記事が、既に掲載されている別の未来予測記事を参照した記事となるときは、この参照記事（つまり親記事）に付されているＵＵＩＤが記憶される。また、未来予測記事を参照記事とする別の未来予測記事（つまり子記事）を特定するために、この子記事に付されているＵＵＩＤが記憶される（子記事が複数あるときは、各子記事毎のＵＵＩＤが記憶される）。
【００５４】
さらに、未来予測記事に関する評価を示すレーティングが記憶され、未来予測記事にアクセスされたアクセス数がカウントされて記憶され、コメントがあるときはコメント数とその内容が記憶される。さらに、広告内容に加えて広告主と広告が利用されたときに与えられるポイントが記憶される。
【００５５】
図４は、サーバ装置１によってウェブサイト上に掲載（提示）される未来新聞（本出願人の登録商標）のトップページの一例を示すものであり、図４の表示は、インターネットＷを介して端末装置２の表示画面に表示されるものである（端末装置２からサーバ装置１へアクセスしたとき）。この図４における表示は、例えばウインドウズ（登録商標）パソコンで使用されている通常のＷＷＷブラウザを用いた表示形態とされて、欄２１には、現在表示されているトップページのアドレスがｈｔｔｐ：／／・・・・・・・・の形式で表示される。また、欄２２には、通常の一般検索を行うための検索欄が表示される。
【００５６】
欄２３は、「未来新聞」の表題と共に、表示すべき未来予測記事をジャンル毎に切換えるための選択用とされている。すなわち、実施形態では、「ＴＯＰ記事」、「政治」、「経済」、「社会」、「スポーツ」、「国際」、「環境」、「文化・芸能」、「科学・技術」、「未来投書・社説」、「小説」のジャンルが設定されている。例えば、端末装置２のマウス操作によって表示部分にポインタを位置させてクリックすることにより、ポインタの位置するジャンルに絞り込まれた未来予測記事のみの表示に切換えられる。なお、以下の説明で、「選択」は、特にことわらない限り、ポインタを位置させてクリックすることによって行われるものとする。
【００５７】
欄２４は、各種メニューの選択で、実施形態では、「記事を新しく書く」、「ソートする」の２種類設定されている。そして、ソートの種類としては、実施形態では、「新着順」、「子記事数順」（子記事の多い未来予測記事順）、「レーティング順」（レーティングの高い順）、「コメント数順」（コメントの多い順）、「アクセス数順」（アクセスの多い順）とされている。
【００５８】
欄２５は、サーバ装置１のデータベース（図２の内容）中に限定した検索範囲でもって、検索を行わせるための検索欄である。欄２６は、本掲示板についての説明や、利用規約等を記載した注意欄である。
【００５９】
欄３１〜３５は、ジャンル毎の未来予測記事をその未来日付と題名（タイトル名）とで表示する記事表示欄である。表示されていないジャンルを表示させるときは、右端の移動バー４１を利用することにより、隠れている未来予測記事を表示させることができる（スクロール）。端末装置２の例えばマウスを操作して、欄３１〜３５に表示されているある１つの未来予測記事の上にポインタを位置させてクリックすることにより、その本文内容が表示される。
【００６０】
なお、ある端末装置２Ａからサーバ装置１へアクセスしたときに、当初は図４に示すトップページの表示内容（当該記事内容の表示パラメータ）と共に、表示内容切換制御用のプログラム（例えばＨＴＴＰ形式）および端末装置２Ａを他の端末装置２Ｂと区別するためのセッションＩＤが送信される。図４の表示内容から、例えばジャンルを切換える操作を行うと、端末装置２Ａからは表示内容切換えのリクエストがそのセッションＩＤと共にサーバ装置１へ送信され、サーバ装置１はこのリクエストに対応した表示パラメータ（表示内容）を端末装置２Ａに送信することになる。このようにして、図４の表示内容が、端末装置２Ａからの例えばマウス操作に応じて適時切換えられることになる。なお、ブックマークを利用して、端末装置２からサーバ装置１へアクセスしたときに、所望の表示内容部分（例えば「政治」に関する未来予測記事が表示される欄）が表示されるように設定することもできる（いわゆる「お気に入り」の設定）。
【００６１】
図４の欄２４における「記事を書く」を選択したときに、端末装置２の表示画面には、図５に示すような表示が行われる（サーバ装置１から端末装置２へ図５の表示パラメータと制御プログラムが送信される）。図５において、「元記事の表示」とあるが、これは、今回書く記事欄が、ある未来予測記事を参照しているときに、この参照記事が表示される部分である。ただし、図５の場合は、別の未来予測記事を参照することなく新たに記事を書く（始祖記事を書く）ため、「元記事の表示」はされないものである。欄５２は、カテゴリ（ジャンル）を記入（選択）するものである。欄５３は、題名（タイトル名）を書くものである。欄５４は、未来予測記事の日付（記事を書く現在の日付よりも将来の日付）を書くものである。欄５５は、記者名（今回記事を書く者の名前で、愛称等でもよい）を書くものである。欄５６は、本文内容を書くものである。欄５２〜５６を全て書いた状態で、送信ボタン５７にポインタを位置させてクリックすると、欄５１〜５６に書かれた内容が、サーバ装置１へ送信される。サーバ装置１は、図５のように書かれた内容を受信したときは、受信した新たな未来予測記事について、ＵＵＩＤの付与、記憶等の処理を行うことになる（新たな未来予測記事について、図３のデータベースを作成）。
【００６２】
新たに書かれた図５の未来予測記事は、図４に示すトップページにおいて（実施形態ではトップページは新着順の表示優先とされている）、「科学・技術」の欄３５の一番上位の位置に、図５に示す記事内容のうち、「未来日付」と「題名」とが表示されることになる。この状態で、欄３５に表示されている図５に示す記事に対応した「題名」を選択すると（ポインタを位置させてクリックで、特定の未来予測記事の選択に相当する））、例えば図６に示すような表示が行われる（図６に示す表示パラメータとその制御プログラムとがサーバ装置１から端末装置２へ送信されて、端末装置２の表示画面に図６の表示が実現される）。
【００６３】
図６では、欄６１に、「未来日付」と「題名」とが表示され、欄６１の直下方の欄６２に、その「本文内容」が表示される。欄６１，６２の右方には、欄６３〜６５および７０が表示される。欄６３は、子記事を示す欄であり、子記事があるときは、表示されている子記事を選択することにより、選択された子記事の内容に表示画面が切換えられる。欄６４は、親記事を示すもので、親記事の表示があるときは、親記事を選択することによって親記事の表示に切換えられる。欄６５は、欄６１，６２に掲載されている未来予測記事に関するコメントを示す欄で、コメントがあるときは、コメントを選択することにより、コメント表示に切換えられる。欄７０は、現在表示されている未来予測記事を参照記事として、未来予測記事を書いてもらう記者を指名するための欄で、記者指名を選択することにより、指名された記者宛（指名された記者の端末装置２宛）に、記者として指名されたことの送信が行われる。
【００６４】
欄６２の下方には、左右方向に並列に、複数の選択の欄６６〜６９が表示されている。欄６６は、欄６１，６２に表示されている未来予測記事に関して子記事を書くときに選択するものであり、「子記事を書く」を選択したときは、図５に示すような表示内容とされる（図５の「元記事」の欄には、図６の欄６１、６２の少なくとも一方の内容が表示される）。
【００６５】
欄６７は、「樹形図表示」を選択するためのもので、「樹形図表示」を選択したときは、後述するように、欄６１，６２の未来予測記事の始祖記事を第１世代記事として、この始祖記事を参照記事とする第２世代の未来予測記事、第２世代の未来予測記事を参照記事とする第３世代記事としたとき、始祖記事を根とする全ての未来予測記事が、世代順に整理（分類）されて樹形図表示される。
【００６６】
欄６８は、「レーティング」を選択するための欄で、欄６１，６２に記載されている未来予測記事に関する評価（例えば５段階評価）を行うためのものである。すなわち、「レーティング」を選択すると、端末装置２の表示画面には例えば５段階での評価を行うための表示に切換えられて（変更されて）、評価の記載を行った後に送信することによって、評価結果がサーバ装置１へ送信される。この評価結果は、図３に示すデータベースの１つとして、図６の未来予測記事に関する評価として設定される（例えば多数の評価の相加平均値を最終的な評価としてデータベース化する）。
【００６７】
欄６９は、「一連表示」を選択するためのもので、「一連表示」を選択したときは、後述するように、欄６１，６２の未来予測記事の始祖記事を第１世代記事として、この始祖記事を参照記事とする第２世代の未来予測記事、第２世代の未来予測記事を参照記事とする第３世代記事としたとき、始祖記事を出発として図６に示す欄６１，６２に記載の未来予測記事に至る一連につながる未来予測記事が全て表示される（樹形図よりも限定された範囲での表示）。
【００６８】
欄７１〜７５は、それぞれ「広告欄」で、「広告欄」に表示されている広告が利用されたときは、広告欄７１〜７５が掲載されている未来予測記事についてそポイントが付与されると共にその広告主が関連づけて記憶される（図３の説明参照）。また、ポイントは、広告が利用された特定の未来予測記事の他に、特定の未来予測記事が参照する参照記事にも与えられ、特に、１世代前の参照記事に対してポイントが付与されると共に、さらにその複数世代前（例えば４世代前）の参照記事に対してまでポイントが付与される。この場合、広告が利用された特定の未来予測記事から世代が離れるにしたがって付与されるポイントが小さくなるように設定することもできる。具体的には、広告が利用された特定の未来予測記事（を書いた記者）に例えば１０ポイントを付与したとき、その１世代前の参照記事には例えば８ポイントを付与し、この１世代前の参照記事が参照する２世代前の参照記事には６ポイントを付与し、この２世代前の参照記事が参照する３世代前の参照記事には４ポイントを付与し、この３世代前の参照記事が参照する４世代前の参照記事には２ポイントを付与する。
【００６９】
なお「広告が利用されたとき」としては、種々の条件設定することができる。例えば、広告掲載のみで広告利用とすることができる。また、広告が選択されたときに（広告を見るための選択で、通常はマウスのクリック操作）広告利用とすることができる。さらに、広告を選択して（見て）、広告商品の購入あるいは広告サービスの提供を受けた場合に、広告利用とすることができる（成功報酬型で、アフィリエイトサイト）。
【００７０】
次に、樹形図表示と一連表示、および表示の拡大・縮小と移動について、図７〜図１６を参照しつつ説明する。まず、図７は、樹形図表示の一例で、かつもっとも縮小した状態が示される。各未来予測記事は、それぞれ１つの枠で示されると共に、参照関係が「線」で示されるが、未来予測記事に関する情報（特に未来日付、題名、本文内容）がなんら表示されないものとなっている。各枠内に示される符合の意味するところは次のとおりである。なお、各枠内の符合は説明のために表示されているもので実際には表示されない（このことは図８以下においても同じ）。すなわちハイフン「−」の前に表示された「Ａ１」、「Ａ２」、「Ａ３」・・・・・の表示は、枠内の未来予測記事についてのＵＵＩＤである(ＵＵＩＤは実際には１２８bitの値を持つもので、図７等では簡略して示す）。また、ハイフン「−」の後にある「Ａ１」、「Ａ２」、「Ａ４」等の表示は、枠内の未来予測記事の参照記事（参照した未来予測記事）である。すなわち、例えば「Ａ４−Ａ１」の表示は、「Ａ４」が、枠に記載されている未来予測記事そのもののＵＵＩＤを示すものであり、「Ａ１」がその参照記事（枠）を示すものである。なお、ハイフン「−」の後が「０」の表示がある未来予測記事は、参照記事が存在しないことを示している（始祖記事となる）。以上の説明からことから容易に理解されるように、例えば、未来予測記事Ａ５は未来予測記事Ａ２を参照記事としており、未来予測記事Ａ２は未来予測記事Ａ１（始祖記事）を参照記事としている。
【００７１】
始祖記事Ａ１を第１世代としたとき、この始祖記事Ａ１を参照記事（親記事）とする未来予測記事Ａ２，Ａ３，Ａ４が第２世代となる。また、第２世代の未来予測記事Ａ２，Ａ３あるいはＡ４を参照記事とする未来予測記事Ａ５、Ａ６、Ａ７が第３世代となる。さらに、第３世代の未来予測記事Ａ７を参照記事とする未来予測記事Ａ８が第４世代となる。
【００７２】
樹形図表示に際して、各未来予測記事を示す枠が、表示画面の縦横のます目（マトリクス）のいずれか１つの目に位置表示される。図７に示す表示形態では、始祖記事Ａ１はもっとも左端に位置表示される。第２世代の未来予測記事Ａ２、Ａ３、Ａ４は、第１世代の未来予測記事Ａ１の右隣に、上下方向に並列に表示される。第３世代の未来予測記事Ａ５，Ａ６，Ａ７は、第２世代の未来予測記事Ａ２，Ａ３，Ａ４の右隣に上下方向に並列に表示される。第４世代の未来予測記事Ａ８は、第３世代の未来予測記事Ａ７の右隣に表示される。
【００７３】
図７の状態から拡大操作をしたときの表示形態が、図８〜図１０に表示される。すなわち、図８では、図７に示される各枠が拡大表示されて、各枠について、未来日付と題名とが表示される（本文内容の表示はなし）。なお、未来日付と題名の表示は、未来予測記事Ａ１についてのみ示されているが、他の未来予測記事Ａ２〜Ａ８についても同様に表示されているものである。
【００７４】
図８の状態からさらに拡大表示されたときの表示形態が、図９に示される。図９では、各枠（未来予測記事）について、その未来日付と題名に加えて、本文内容の一部（最初の部分）が表示されている。拡大されているため、樹形図内の全ての未来予測記事について表示されることなく、未来予測記事Ａ１、Ａ２、Ａ３は全て表示され、未来予測記事Ａ４については一部のみ表示され、その他の未来予測記事Ａ５以下については表示されていない。なお、図９では、未来日付と題名と本文内容の一部の表示は、未来予測記事Ａ１についてのみ示されているが、他の未来予測記事Ａ２、Ａ３についても同様に表示されているものである（表示されていない他の未来予測記事については、後述する移動によって表示されたときは、未来日付と題名と本文内容の一部とが表示される）。
【００７５】
図９の状態からさらに拡大されて、もっとも拡大されたときの表示形態が、図１０に示される。図１０では、各枠（未来予測記事）について、その未来日付と題名に加えて、本文内容の全文が表示されている。拡大されているため、樹形図内の全ての未来予測記事について表示されることなく、未来予測記事Ａ１は全て表示されるが、他の未来予測記事Ａ２以下については表示されない。なお、表示されていない他の未来予測記事Ａ２以下については、後述する移動によって表示されたときは、未来日付と題名と本文内容の全文とが表示される。また、本文内容が長文のときは、もっとも拡大された表示であっても全文表示されない場合があるが、この場合は、未来予測記事を囲む枠内で選択を行うことにより、表示されない本文内容部分をスクロール形式で表示させることができるようになっている。
【００７６】
前述した拡大・縮小（の指令）操作は、例えば、ポインタを表示画面の任意の位置においた状態で、マウスのホイールを一方側（例えば手前側）に回転操作することにより行われ、ホイールを他方側に回転操作することにより縮小（の指令）操作となる。また、表示画面の端部に、拡大縮小を操作する例えばバー状の操作表示部を表示させて、この操作表示部を例えばマウスで操作することによって、拡大・縮小させるようにする等、既知の適宜の手法によって拡大・縮小の操作を行わせることができる。
【００７７】
図１１は、移動の操作の一例を示すものである。すなわち、図９の状態から、マウスの操作によってドラッグアンドドロップを行うことにより（実施形態では樹形図の左方かつ上方への移動操作）、図９では表示されなかった未来予測記事Ａ６〜Ａ８が表示される。なお、この移動操作は、適宜の拡大・縮小表示の状態でもって行うことができる（図７〜図１１の状態からの移動が可能）。
【００７８】
図１２〜図１６は、「一連表示」を選択したときの、表示態様の例を示すものである。まず、図１２の例は、特定の未来予測記事Ａ４が表示されている表示画面から「一連表示」が選択されたとき（図６の欄６９の選択に相当）の一連表示が示される。この場合、ＵＵＩＤを利用した参照関係をたどることにより、始祖記事Ａ１から、特定の未来予測記事Ａ４に至るまでの全ての未来予測記事が検索されて、図１２のように表示される。すなわち、樹形図では図７、図８のように表示される場合に、一連表示では、特定の未来予測記事Ａ４を経由しない未来予測記事Ａ２、Ａ３、Ａ５や、特定の未来予測記事Ａ４よりも後世代の未来予測記事Ａ６〜Ａ８が削除された状態で表示されることになる。なお、参照関係を示すための「線」が、樹系図の場合と同様に表示される。勿論、一連表示の場合においても、拡大・縮小の機能や移動の機能が、樹系図表示の場合と同様に適用される。
【００７９】
図１３は、樹形図表示が図７，図８で示すような場合において、特定の未来予測記事としてＡ７を選択したときの一連表示が示される。図１４は、樹形図表示が図７，図８で示すような場合において、特定の未来予測記事としてＡ６を選択したときの一連表示が示される。
【００８０】
図１５，図１６は、一連表示の表示形態を、図１２〜図１４の場合とは異なる態様としたものである。すなわち、図１５の場合は、図１４に対応した変更された表示態様で、複数の未来予測記事Ａ１、Ａ４、Ａ６が、世代順に上から下へと一覧表示するようにしたものである。また、図１６は、複数の未来予測記事Ａ１，Ａ４，Ａ６を、世代順に左方から右方へと直列に表示するようにしたものである。一連表示に際しては、前述した他、複数の未来予測記事Ａ１、Ａ４、Ａ６を、所定時間間隔毎に順次表示するようにしてもよく（一定時間表示したら次の表示に自動的に移行するスライドショー）、この場合、ある未来予測記事が表示されている状態で、マウスを操作することによって（例えば右クリック）、上記順次表示を一次停止して、所望の未来予測記事を表示させ続けるようにすることもできる（順次表示の一次停止の状態から、例えば左クリックすることによって順次表示の状態へ復帰させる）。なお、上記のような表示の切換えは、サーバ装置１から端末装置２へ送信されたプログラムに基づいて実行される。
【００８１】
次に、前述したような表示の変更を行うための制御内容について、図１７〜図２４のフローチャートを参照しつつ説明する。なお、以下の説明でＳはステップを示す。また、本実施形態では、未来予測記事の未来日付は、参照記事があるときは、参照記事の未来日付よりも後（将来）の日付に限定するようにしてある（これに反する場合は、未来予測記事を記入する表示面に、未来日付の設定に誤りがある旨の注意表示がなされると共に、未来日付の設定に誤りのある未来予測記事についてはサーバ装置１が受け付けないようにされている）。
【００８２】
まず、サーバ装置１による制御内容について、図１７〜図２２を参照しつつ説明する。メインの制御となる図１７における、Ｓ１においては、端末装置２からサーバ装置１へ最初にアクセスしたときの表示内容の制御が実行される。すなわち、端末装置２からのアクセス（リクエスト）に対応して、例えば図４に示す表示を行わせるための表示パラメータやセッションＩＤがサーバ装置１から端末装置２へ送信されて、端末装置２（の表示画面）において、例えば図４に示すような表示が行われることになる。次いで、Ｓ２において、端末装置２からサーバ装置１へ未来予測記事の投稿を行うための処理が行われる。この後、Ｓ３において、例えば図６に示すようなある特定の未来予測記事が表示されている状態において、あるメニューが選択されたときの処理が実行される。なお、サーバ装置１は、アクセスされた特定の端末装置２と通信するために、そのセッションＩＤやＵＲＬを第２記憶部１４（図２参照）に一時的に記憶している。
【００８３】
前記Ｓ２の詳細が、図１８に示される。この図１８のＳ１１において、未来予測記事が受信されたことが確認されると、Ｓ１２において、投稿記事が始祖記事であるか否かが判別される。このＳ１２の判別でＮＯのとき、すなわち、投稿記事が参照記事を有するときは、Ｓ１３において、参照記事のＵＵＩＤが第１記憶部１３から読み出される。
【００８４】
上記Ｓ１３の後、あるいはＳ１２の判別でＹＥＳのときは、Ｓ１４において、投稿記事に対して、固有のＵＵＩＤが付与される。この後、Ｓ１４で付与されたＵＵＩＤおよび参照記事が存在するときは参照記事のＵＵＩＤが、投稿記事と対応付けて第１記憶部１３（図２参照）に記憶される（図３のデータベースが新たに作成される）。
【００８５】
図１９〜図２１は、前記Ｓ３の詳細を示すものである。まず、図１９のＳ２１において、選択された特定の未来予測記事（図６に表示されている未来予測記事に相当）が表示される（端末装置２へ表示パラメータの送信）と共に、選択された未来予測記事へのアクセス数がカウントアップされて第１記憶部１３に記憶される。
【００８６】
上記Ｓ２１の後、Ｓ２２において、「樹形図表示」が選択されたか否かが判別される（図６の欄６７が選択されたか否かの判別）。このＳ２２の判別でＹＥＳのときは、Ｓ２３において、樹形図表示用のプログラムがＨＴＴＰ形式でサーバ装置１から端末装置２へ送信される。この後Ｓ２４において、送信されたプログラムを利用して、端末装置２へ、樹形図を表示するための表示パラメータ（記事に関する種々の事項で、記事固有のＵＵＩＤとその参照ＵＵＩＤも含む）が順次送信される。上記プログラムは、後述するように、樹形図表示用や一連表示用、さらには拡大・縮小や移動等の機能を実行させるためのものとなっている。
【００８７】
前記Ｓ２２の判別でＮＯのときは、Ｓ２５において、「一連表示」が選択されたか否かが判別される（図６の欄６９が選択されたか否かの判別）。このＳ２５の判別でＹＥＳのときは、Ｓ２６において、一連表示用のプログラムがＨＴＴＰ形式でサーバ装置１から端末装置２へ送信される。この後Ｓ２７において、送信されたプログラムを利用して、端末装置２へ、一連表示するための表示パラメータ（記事に関する種々の事項で、記事固有のＵＵＩＤとその参照ＵＵＩＤも含む）が順次送信される。上記プログラムは、後述するように、一連表示用や樹形図表示用、さらには拡大・縮小や移動等の機能を実行させるためのものとなっている。
【００８８】
前記Ｓ２４の後、Ｓ２７の後、あるいはＳ２５の判別でＮＯのときはそれぞれ、図２０のＳ４１に移行して、「レーティング」が選択されたか否かが判別される。（図６の欄６８が選択されたか否かの判別）。このＳ４１の判別でＹＥＳのときは、Ｓ４２において、端末装置２へ、レーティング用の表示パラメータと制御プログラムとが送信される。この後、Ｓ４２において、端末装置２からレーティングが受信されたことが確認されると、Ｓ４４において、受信したレーティングの結果が、特定の未来予測記事に反映される（第１記憶部１３に記憶されているレーティングの更新）。
【００８９】
前記Ｓ４１の判別でＮＯのときは、Ｓ４５において、「コメント」が選択されたか否かが判別される（図６の欄６５において「コメントを書く」が選択されたか否かの判別）。このＳ４５の判別でＹＥＳのときは、Ｓ４６において、端末装置２へ、コメント用の表示パラメータと制御プログラムとが送信される。この後、Ｓ４７において、端末装置２からコメントが受信されたことが確認されると、Ｓ４８において、受信したコメントの結果が、特定の未来予測記事に反映される（第１記憶部１３に記憶するコメントの追加）。
【００９０】
前記Ｓ４４の後、Ｓ４８の後、あるいはＳ４５の判別でＮＯのときはそれぞれ、図２１のＳ５１において、「記者指名」が選択されたか否かが判別される（図６の欄７０において「記者を指名する」が選択されたか否かの判別）。このＳ５１の判別でＹＥＳのときは、Ｓ５２において、指名された記者の端末装置２へ、記事書き込み用の表示パラメータと制御プログラムとが送信される。この後、Ｓ５３において、端末装置２から記事が受信されたことが確認されると、Ｓ５４において、受信した記事が、ＵＵＩＤを付されて、記者指名した際の特定の未来予測記事の子記事として反映される（第１記憶部１３に記憶する子記事の追加）。
【００９１】
前記Ｓ５１の判別でＮＯのとき、あるいは前記Ｓ５４の後は、Ｓ５５において、広告が利用されたか否かが判別される（（図６の欄７１〜７５のいずれかの広告の利用）。実施形態では、欄７１〜７５のいずれかを選択したときに（選択によって、対応する広告サイトへ移行される−広告サイトのＵＲＬが広告表示と対応させて設定されている）、広告利用となるように設定されている。このＳ５５の判別でＹＥＳのときは、選択された広告が掲載されている特定の未来予測記事と、所定世代前までの参照記事に対して、広告利用のポイントが付与されて、この付与されたポイントが、ポイント付与の対象となる未来予測記事に対応づけて第１記憶部１３に記憶される。Ｓ５７の後あるいはＳ５５の判別でＮＯのときは、終了とされる。
【００９２】
図２２は、端末装置２での樹形図の表示の制御例を示すものである。まず、Ｓ７１において、サーバ装置１から送信されてくる表示用プログラムを受信すると共に、このプログラムを利用して、表示パラメータが順次入手される（記事固有のＵＵＩＤおよびその参照ＵＵＩＤを含む）。
【００９３】
Ｓ７２では、まずＵＵＩＤと参照ＵＵＩＤとを利用して、後述のように始祖記事を決定し、次にＵＵＩＤと参照ＵＵＩＤとを利用して、この始祖記事を参照記事とする第１世代記事、第２世代記事というように、世代順に記事を検索する。そして、検索された全ての未来予測記事が、始祖記事を始点位置として世代順に順次配置される（図７，図８で示す枠の配置の決定で、配置の仕方については前述したとおり）。なお、同一世代の配置については、例えば、未来日付を優先した順とするが、後述するように、ソート機能を利用して、同一世代の記事についての並べ方の順位を変更することができる。この後、Ｓ７３において、配置された枠間での参照関係を示す線の位置が決定される。この後Ｓ７４で、例えば図８で示すような表示が行われる。勿論、複数の未来予測記事の配置位置の決定や、その関係を結ぶ線の設定は、各未来予測記事に付されているＵＵＩＤとその参照記事のＵＵＩＤに基づいて行われる。なお、Ｓ７２での世代順の記事の検索、整理は、例えば、始祖記事を検索した後は、始祖記事を参照記事とする全ての第２世代の記事を検索し、その後、第２世代を参照記事とする第３世代の未来予測記事を第２世代の各未来予測記事についてそれぞれ検索するというようにして、世代毎に順次に検索を行うようにすればよい。
【００９４】
上記Ｓ７４の後、Ｓ７５において、表示の拡大・縮小あるいは移動の操作がされたか否かが判別される。このＳ７５の判別でＹＥＳのときは、Ｓ７６において、操作に対応した状態となるように、表示態様が変更される。Ｓ７６の後、あるいはＳ７５の判別でＮＯのときは、Ｓ７７において、ソート（表示の並べ替え）が要求されたか否かが判別される。すなわち、例えば樹形図が表示される図７や図８の状態で、図示を略すが、図４の欄２４と同様に表示画面にソートの種類を選択する表示が行われて、ソートの選択がされたか否かが判別されることになる。なお、ソート種類としては、図４の欄２４と同様に設定することができる。より具体的には、「新着順」（新しく受け付けた順）、「子孫記事数順」（子孫記事の多い順）、「レーティング順」（評価の高い順）、「コメント数順」（コメント数の多い順）、「アクセス数順」（アクセス数の多い順）等が選択可能とされる。なお、「子孫記事数順」に加えてあるいは代えて、「子記事数順」（１世代後の未来予測記事の多い順）をソート条件に加えるようにする等、適宜設定できる。このＳ７７の判別でＹＥＳのときは、Ｓ７８において、現在樹形図表示されていることが確認された後、Ｓ７９において、選択されたソートに対応した表示となるように未来予測記事の並べ替えが行われる。例えば、図７において、子孫記事順が選択されたときは、第２世代記事のうち、未来予測記事Ａ４がもっとも上に表示され、その下方に未来予測記事Ａ２が表示され、その下方に未来予測記事Ａ３が表示されることになる。
【００９５】
前記Ｓ７９の後、前記Ｓ７７の判別でＮＯのとき、あるいはＳ７８の判別でＮＯのときは、それぞれＳ８０において、一連表示が選択されたか否かが判別される。すなわち、図示を略すが、例えば図７、図８に示す樹形図が表示されている状態で、表示画面には一連表示の選択部が合わせて表示され（図６の欄６９の表示に相当）、この選択部が選択されたときに、一連表示が選択されたと判断される。このＳ８０の判別でＹＥＳのときは、Ｓ８１において、一連表示に変更される。この場合、一連表示において特定の未来予測記事は、Ｓ７１に移行される直前に表示されていた未来予測記事となるが、表示されている樹形図のうち任意の１つの未来予測記事を特定の未来予測記事とする一覧表示とすることができる（樹形図表示されている未来予測記事のいずれか１つを選択する操作が行われる）。
【００９６】
前記Ｓ８１の後、あるいはＳ８０の判別でＮＯのときは、それぞれ、Ｓ８２において、樹形図表示に復帰する要求がされたか否かが判別される。すなわち、図示を略すが、一連表示が行われている表示画面において、例えば図６の欄６７に示すような「樹形図表示」の表示が合わせて行われて、この「樹形図表示」を選択することによって、Ｓ８２の判別でＹＥＳとなって、一連表示の表示態様から樹形図表示の表示態様へと復帰される。
【００９７】
上記Ｓ８３の後、あるいはＳ８２の判別でＮＯのときは、それぞれＳ８４において、表示の終了が選択されたか否かが判別される。すなわち、樹形図表示している表示画面や一連表示している表示画面中に表示されている「終了ボタン」や「画面閉じのボタン」（共に図示を略す）が選択されたか否かが判別される。このＳ８４の判別でＮＯのときはＳ７５に戻り、Ｓ８４の判別でＹＥＳのときは、表示が終了される（未来新聞のトップ記事面への移行、あるいは未来予測記事の閲覧終了）。
【００９８】
ここで、一連表示の制御例は、図２３の樹形図表示の制御例と基本的に同様である。ただし、一連表示では、樹形図表示よりも参照関係が明確なため、その分表示制御用のプログラムを簡単化することも可能であるが、樹形図表示用をそのまま使用することも可能である。なお、一連表示の場合は、ソートに関するステップが不要となる。
【００９９】
なお、一連表示の際に、前述した図１２〜図１４に示すような表示態様とするか、図１５あるいは図１６に示すような表示態様とするか、さらには一連の未来予測記事の順次表示の表示態様とするかを、任意に選択できるようにしてもよい（一連表示の表示画面に表示態様選択の選択ボタンを表示して、ある１つの選択ボタンが選択されたときにそれに対応した表示態様へ切換える）。
【０１００】
図２２のＳ７２における始祖記事の検索が、例えば図２３に示すようにして実行される。すなわち、図２３のＳ６１において、選択されている未来予測記事における参照記事のＵＵＩＤが検索される。この検索は、例えば、図８のような樹形図で参照関係にある複数の未来予測記事において、選択されている特定の未来予測記事が例えばＡ６であるときに、そのハイフン「−」の右側に表示されているＵＵＩＤとなる「Ａ４」の検索となる。この後、Ｓ６２において、参照記事のＵＵＩＤを持っているか否かが、上記選択された特定の未来予測記事について、第１記憶部１３に記憶されているデータに基づいて判別される。このＳ６２の判別でＹＥＳのときは、Ｓ６３において、参照記事が参照している参照記事のＵＵＩＤが検索されて、再度Ｓ６２の判別が行われる。このＳ６２，Ｓ６３の処理を繰り返すことにより、やがて、参照記事が始祖記事になると、始祖記事は参照記事を持っていないことから、Ｓ６２の判別でＮＯとなる。Ｓ６２の判別でＮＯのときは、Ｓ６４において、最後にＳ６２で判別対象となった未来予測記事が、始祖記事として決定される。
【０１０１】
図２４は、本発明の別の実施形態を示すものである。本実施形態では、始祖記事を参照記事とする場合に、始祖記事よりも前の未来日付でもって子記事を投稿できるようにした場合に対応するものである。図２４には、各未来予測記事に、代表的に年号のみによって未来日付を示してある。ＵＵＩＤが「Ｂ」の符合を有するものが、始祖記事の未来日付よりも前の日付の未来予測記事となり、図２４では、Ｂ１、Ｂ２、Ｂ３の３つの未来予測記事が存在する。
【０１０２】
樹形図表示に際して、始祖記事よりも前の未来日付の未来予測記事については、未来予測記事の未来日付よりも後の未来日付の未来予測記事とは反対側に展開表示させるようにしてある。なお、未来予測記事Ｂ１〜Ｂ３においては、始祖記事Ａ１を第１世代とすると、Ｂ１が第１世代前の未来予測記事、Ｂ２，Ｂ３が第２世代前の未来予測記事となる。このように、始祖記事を挟んで、始祖記事よりも後世代の未来予測記事と始祖記事よりも前世代の未来予測記事とを分けて表示することにより、参照関係が明確となる。
【０１０３】
図２５は、ある未来予測記事（の本文内容）がその参照記事に対してどのような内容であるかを直感的にすみやかに理解できるようにしたものである。すなわち、参照関係を示す線（矢印線）に対して、例えば「○」、「×」、「△」の符合を付して、○の場合は参照記事に賛同する記事内容であり、×の場合は参照記事に対して反対する記事内容であり、△の場合は参照記事を補足する記事内容であるとされている。なお、上記○、×、△という符合の種類は２あるいは４以上設定してもよく、またその意味づけも適宜設定できるものである。また、○、×、△という符合の設定（選択）は、未来予測記事の投稿者によって実行されるようになっているが、サーバ装置１側でもって内容の対応関係を判断して設定することもできる。
【０１０４】
以上実施形態について説明したが、本発明は、実施形態に限定されるものではなく、特許請求の範囲の記載された範囲において適宜の変更が可能であり、例えば次のような場合をも含むものである。
（１）記事としては、文章は勿論のこと、漫画、イラスト、写真等の画像や音声であってもよく、画像も静止画の他に動画であってもよい。動画の場合、表示画面への表示は、例えば、通常は動画中の１コマを表示して、例えばマウスの操作この１コマ部分にポインタを位置させてクリックすることにより動画の再生を開始させるようにすればよい（動画再生プログラムの起動）。動画の再生に際しては、再生用のプログラムをサーバ装置１から端末装置２へ送信するようにしてもよいが、動画は例えばＭＰＥＧ等の規格で作成されることが一般的となっている一方、規格の動画を再生するプログラムがパーソナルコンピュータに内蔵されていることも多いので、特に再生用プログラムをサーバ装置１から送信しなくてすむというのが実情ではある。音声の場合は、音声がある旨の表示をさせて、この表示をクリックすることによって音声の再生が行われるようにするのが好ましい。勿論、文章と静止画と動画と音声とのいずれか２種類以上が混在された記事であってもよい。
【０１０５】
（２）広告利用のポイント付与は、利用された広告が掲載された未来予測記事についてのみ付与するようにしてもよい。また、参照記事にもポイントを付与する場合は、利用された広告が掲載された未来予測記事の１世代前の参照記事に限定する等、ポイントを付与する参照記事の範囲は適宜設定できるものである。また、参照記事にポイントを付与する場合に、どのような割合（重み付け）で各記事にポイントを割り振るかも適宜設定できるものである。
（３）ある特定の未来予測記事にブックマークなどで登録しておいて、この特定の未来予測記事に子記事が掲載されたときに、子記事が掲載されたことを上記登録した者に通知（あるいは子記事そのものを送信）するようにしてもよい。
【０１０６】
（４）参照記事よりも前の未来日付となる子記事を書かせるようにしてもよい。例えば、図８において未来予測記事Ａ８を参照記事として、この未来予測記事Ａ８よりも前の未来日付でかつ未来予測記事Ａ７の未来日付よりも後の子記事を書いた場合に、樹形図表示に際しては、この子記事を、未来予測記事Ａ７の直後でかつ未来予測記事Ａ８の直前に位置するように配置（配置補正）すればよく、あるいはＡ７の直前に配置するもののＡ８との参照関係をなくした表示（参照関係を示す線をＡ８に対して付さない）ようにしてもよい（一連表示についても同じ）。また、この場合、上記子記事を識別する表示を例えば色分け等によって別途行うようにすることもできる。
（５）樹形図表示の際に、選択された特定の未来予測記事と始祖記事との少なく一方が容易に識別できるように、識別表示を行うようにしてもよい。この識別表示としては、例えば、図８において、識別すべき未来予測記事を示す枠の色（あるいは太さや種類）を、他の未来予測記事の枠の色（あるいは太さや種類）と相違させる等によって行うことができる（一連表示についても同じ）。
（６）参照記事を複数選択できるようにしてもよい。
【０１０７】
（７）樹形図表示に際して、始祖記事の下方あるいは上方に世代順に未来予測記事を配置する等、未来予測記事の配置位置の設定は適宜選択できるものである。また、始祖記事から後世代の未来予測記事と前世代の未来予測記事との配置位置の設定は、始祖記事を挟んで互いに上下方向に離れるように配置する等、適宜選択できるものである。
（８）未来予測記事をジャンル別に同時に表示する場合（例えば図４の欄３１〜３５）、ジャンル別にその枠や文字等を色分けするようにしてもよい（識別性の向上）。また、樹形図表示や一連表示する場合に、例えば始祖記事の未来日付よりも未来となる未来予測記事と、過去となる未来予測記事とを色分け等によって識別させるようにしてもよい。
（９）図４に示すようなトップ表示面あるいは図６に示す選択された特定の未来予測記事に対して、リンク（例えばリンクサイト）の表示を行って、このリンクを選択することにより、表示画面の表示がリンクサイトの表示内容へ移行するように設定してもよい。なお、リンクサイトとしては、未来新聞内の別の記事であってもよく、その際に、特定の未来予測記事の未来日付よりも前の未来日付か後の未来日付かによって色分け表示するようにしてもよい。
【０１０８】
（１０）端末装置２Ａ、２Ｂの電子メールアドレスを図３のデータベース中に記憶させて、各種の連絡を電子メールを通じて行うようにしてもよい（例えば未来予測記事を書くように記者指名された場合等）。拡大・縮小表示の際に、未来日付とタイトル名とのいずれか一方のみが表示される表示態様が得られるようにしてもよく、この場合は、さらなる拡大によって未来日付とタイトル名との両方が表示されるようにすればよい。一連表示において、特定の未来予測記事に至るまでの表示に加えて、あるいは代えて、特定の未来予測記事を参照記事として繋がるその後の世代の全ての未来予測記事を表示させるようにしてもよく（特定の未来予測記事を経過する全ての未来予測記事の表示）、このような表示と特定の未来予測記事に至るまでの全ての未来予測記事の表示とを選択できるように設定してもよい。
（１１）本発明で開示された樹形図は、未来予測のためのみならず、他の様々な媒体として応用することも可能である。すなわち、企業などで、AON形式の作業工程を作成することができる。電話等の連絡網を作成することに用いることもできる。系図の作成も可能である（ただし、婚姻も含めた系図の作成には別の操作が必要になる）。会計報告を作成する際には、遡りコンテンツを収入として、拡散コンテンツを支出として入力すれば、お金の流れが明瞭化したものが作成できる。その他、FAQとして用いる、取扱説明書を作成する、病気の予防や診断のチャートとして用いる等の、様々な用途に便宜をもたらすことが可能である。特に電子メールにおいて、数多くのやりとりが行わることが多いが、ある電子メールの内容に対して返信された別の電子メールの内容がどのような内容であるのかを、通信のやりとり関係を樹形図で示すと共に、図２５に示す○、△、×等の識別符合を用いるようにすれば、やりとりの概要を直感的に把握することができて好ましいものとなる。
（１２）数人程度の小規模なコミュニティ形式で未来予測をするようにしてもよく、部外者に知られたくない場合にはクローズド・コミュニティ形式で議論することも可能である（例えば会員登録者に対してのみ未来予測記事の投稿や閲覧が許されるようにする）。本実施形態では、サーバ装置１の処理負担軽減のために、樹形図や一連表示等の表示制御用プログラムをサーバ装置１から端末装置２へ送信するようにしたが、端末装置２からの要求（例えば樹形図表示の要求や一連表示の要求）に応じて、サーバ装置１で樹形図や一連表示のための処理を全て行って、処理後の結果を端末装置２へ送信するようにしてもよい（この場合は、端末装置２の処理負担が小さくなる）。勿論、本発明の目的は、明記されたものに限らず、実質的に好ましいあるいは利点として表現されたものを提供することをも暗黙的に含むものである。
【図面の簡単な説明】
【０１０９】
【図１】サーバ装置と端末装置とがインターネットを介して接続された状態を示す図。
【図２】サーバ装置の制御系統例を示す図。
【図３】サーバ装置に記憶されるデータベースの一例を示す図。
【図４】ウェブサイト上の掲示板に掲載された新聞のトップページの一例を示す図。
【図５】未来予測記事を投稿する際に使用する画面表示例を示す図。
【図６】図５に示す投稿記事がウェブサイト上の新聞に掲載されたときの状態を示す図。
【図７】樹形図の表示例を示す図。
【図８】図７の状態から樹形図が拡大された状態を示す図。
【図９】図８の状態から樹形図が拡大された状態を示す図。
【図１０】図９の状態から樹形図が拡大された状態を示す図。
【図１１】図７の状態から樹形図が移動された状態を示す図。
【図１２】一連表示の第１の表示例を示す図。
【図１３】一連表示の第２の表示例を示す図。
【図１４】一連表示の第３の表示例を示す図。
【図１５】一連表示の第４の表示例を示す図。
【図１６】一連表示の第５の表示例を示す図。
【図１７】サーバ装置側での制御例を示すフローチャート。
【図１８】サーバ装置側での制御例を示すフローチャート。
【図１９】サーバ装置側での制御例を示すフローチャート。
【図２０】サーバ装置側での制御例を示すフローチャート。
【図２１】サーバ装置側での制御例を示すフローチャート。
【図２２】端末装置側での制御例を示すフローチャート。
【図２３】端末装置側での制御例を示すフローチャート。
【図２４】始祖記事よりも前世代の未来予測記事が存在する場合の樹形図例を示す図。
【図２５】参照記事に対して子記事がどのような内容となっているかを符合で示す場合の一例を示す図。
【符号の説明】
【０１１０】
Ｗ：インターネット
１：サーバ装置
２（２Ａ、２Ｂ）：端末装置
１１：制御部
１２：通信部
１３：第１記憶部
１４：第２記憶部
Ａ１〜Ａ８：ＵＵＩＤ（識別符合）
Ｂ１〜Ｂ３：ＵＵＩＤ（識別符合）
【図１】
2009181451.tif 000003
【図２】
2009181451.tif 000004
【図３】
2009181451.tif 000005
【図４】
2009181451.tif 000006
【図５】
2009181451.tif 000007
【図６】
2009181451.tif 000008
【図７】
2009181451.tif 000009
【図８】
2009181451.tif 000010
【図９】
2009181451.tif 000011
【図１０】
2009181451.tif 000012
【図１１】
2009181451.tif 000013
【図１２】
2009181451.tif 000014
【図１３】
2009181451.tif 000015
【図１４】
2009181451.tif 000016
【図１５】
2009181451.tif 000017
【図１６】
2009181451.tif 000018
【図１７】
2009181451.tif 000019
【図１８】
2009181451.tif 000020
【図１９】
2009181451.tif 000021
【図２０】
2009181451.tif 000022
【図２１】
2009181451.tif 000023
【図２２】
2009181451.tif 000024
【図２３】
2009181451.tif 000025
【図２４】
2009181451.tif 000026
【図２５】
2009181451.tif 000027